(57)【要約】【課題】  ジャンケンゲームをより面白くする。【解決手段】  プレイヤキャラクタ５１を操作するプレイヤは、“パー”で対戦相手に勝つと相手により多くのダメージを与えることができるものとする。このとき、“グー”、“チョキ”を表すアイコン６１，６２よりも“パー”を表すアイコン６３の表示サイズを大きくしてゲーム画面８０を表示することで、ダメージをより多く与えることのできるジャンケン種別を対戦相手に認識させることができ、対戦相手との駆け引きを通じてゲームをより面白くすることができる。【選択図】    図１
2006095324.tif 000002
【特許請求の範囲】
【請求項１】
プレイヤが選択したキャラクタを通じてジャンケン対戦を行うゲーム装置であって、
プレイヤが選択したジャンケン種別の情報を入力するコントローラと、
キャラクタ設定情報が記録された記録媒体から、記録されている情報を読み取る読み取り手段と、
前記読み取り手段で読み取られた情報に基づいて、ゲーム画面を生成する画像生成手段と、
前記コントローラから入力されたジャンケン種別選択情報に基づいて、ジャンケンの優劣判定処理を行う優劣判定手段と、
前記優劣判定手段での判定結果と、前記キャラクタ設定情報とに基づいて前記ジャンケンに負けた側のキャラクタのダメージ値を演算するダメージ演算手段と、
前記ダメージ値が所定値を超えたか否かを判定し、超えた場合に該ジャンケンゲームを終了させる制御手段と、
を備え、
前記画像生成手段が前記キャラクタ設定情報に含まれる特定ジャンケン種別情報に基づいて、該特定ジャンケン種別に対応したアイコンを他のジャンケン種別に対応したアイコンと区別して表示するための画像を生成することを特徴とする、ゲーム装置。
【請求項２】
請求項１に記載のゲーム装置であって、
前記記録媒体には、更に攻撃オプション設定情報が記録されており、
前記読み取り手段が前記攻撃オプション設定情報を読み取って、前記ジャンケン種別に前記攻撃オプション設定情報に基づく攻撃オプションを付加する攻撃オプション付加手段と、
前記ダメージ演算手段が前記ダメージ値を演算する際に、前記ジャンケンに勝った側が選択した前記ジャンケン種別に設定された前記攻撃オプション設定情報に基づく追加効果を与える処理を行う攻撃オプション処理手段と、
を更に備えることを特徴とするゲーム装置。
【発明の詳細な説明】
【技術分野】
【０００１】
本発明はゲーム画面の表示技術に関する。
【背景技術】
【０００２】
従来、特開２０００−２４５９４９号公報に開示されているように、コンピュータゲーム上で“ジャンケン”を行うゲーム装置が知られている。このようなジャンケンゲームにおいては、ＣＰＵはプレイヤが入力したキー操作から“グー”、“チョキ”、“パー”のジャンケン種別を判定し、対戦者同士の勝敗を決するようプログラムされている。
【特許文献１】特開２０００−２４５９４９号公報
【発明の開示】
【発明が解決しようとする課題】
【０００３】
しかし、従来のジャンケンゲームでは、単に“グー”、“チョキ”、“パー”の優劣関係に応じて勝敗を決していたため、ゲームをより面白くするための工夫がなされていなかった。
【０００４】
そこで、本発明はこのようなコンピュータゲームをより面白くするための改良技術を提案することを課題とする。
【課題を解決するための手段】
【０００５】
上記の課題を解決するため、本発明のコンピュータプログラムは、相対的な優劣関係が予め定められた複数の選択対象の中からプレイヤが選択した選択対象同士の優劣関係に従って優劣判定を行い、当該優劣判定の結果に応じて変動するパラメータ値を更新する処理をコンピュータシステムに実行させるためのコンピュータプログラムであって、前記コンピュータシステムを、前記複数の選択対象のうち何れかの選択対象に対して、前記優劣判定の結果、比較対照となる選択対象に対して優勢である場合に、前記パラメータ値の変動幅を他の選択対象に対する前記パラメータ値の変動幅と異なるように設定された設定情報を記憶する記憶手段、及び前記設定情報を参照して、前記特定の選択対象と他の選択対象とが視覚的に区別できるような画像データを生成する画像生成手段として機能させる。
【０００６】
好ましくは、前記画像生成手段は、前記設定情報を参照して、前記特定の選択対象とその他の選択対象とが視覚的に区別できるようなアイコンの画像データを生成する。
【０００７】
好ましくは、前記画像生成手段は、前記特定の選択対象に対応付けられて表示されるアイコンの表示サイズと、その他の選択対象に対応付けられて表示されるアイコンの表示サイズを変えて前記画像データを生成する。
【０００８】
好ましくは、前記選択対象は、ジャンケンの手形態を示す“グー”、“チョキ”、“パー”である。
【０００９】
本発明のネットワークサーバは、オープンネットワークに接続するクライアント装置からの要求に応答して、上記のコンピュータプログラムを前記クライアント装置へ配信する。
【００１０】
本発明のコンピュータシステムは、上記のコンピュータプログラムを実装する。
【００１１】
本発明のプログラムを記録するコンピュータ読取り可能な記録媒体として、例えば、光記録媒体（ＣＤ−ＲＡＭ、ＣＤ−ＲＯＭ、ＤＶＤ−ＲＡＭ、ＤＶＤ−ＲＯＭ、ＤＶＤ−Ｒ、ＰＤディスク、ＭＤディスク、ＭＯディスク等の光学的にデータの読み取りが可能な記録媒体）や、磁気記録媒体（フレキシブルディスク、磁気カード、磁気テープ等の磁気的にデータの読み取りが可能な記録媒体）、或いはメモリ素子（ＤＲＡＭ等の半導体メモリ素子、ＦＲＡＭ等の強誘電体メモリ素子）を備えたメモリカートリッジ等の可搬性記録媒体等が好適である。
【００１２】
本発明のコンピュータ読取可能な記録媒体は、相対的な優劣関係が予め定められた複数の選択対象のうち、一の選択対象による優劣判定の結果が比較対象となる選択対象に対して優勢である場合に対戦相手のパラメータに与える変動量が、他の選択対象による優劣判定の結果が比較対象となる選択対象に対して優勢である場合の変動量よりも多くなるように設定された設定情報が記録されている。
【００１３】
本発明のコンピュータ読取可能な記録媒体は、本発明のコンピュータプログラムを実装したコンピュータシステムによってデータ処理されるデータを記録したコンピュータ読取可能な記録媒体であって、前記複数の選択対象のうち少なくとも一つに対してパラメータ値の変動に対する追加効果を加えるオプションデータが記録されている。
【００１４】
本発明のコンピュータシステムは、相対的な優劣関係が予め定められた複数の選択対象の中からプレイヤが選択した選択対象同士の優劣関係に従って優劣判定を行い、当該優劣判定の結果に応じて変動するパラメータ値を更新する処理を行うコンピュータシステムであって、本発明の記録媒体から前記設定情報を読み取る読取手段と、前記読取手段が読み取った設定情報を記憶する記憶手段と、前記設定情報を参照して、前記特定の選択対象と他の選択対象とが視覚的に区別できるような画像データを生成する画像生成手段とを備える。
【００１５】
好ましくは、前記読取手段は、さらに、本発明の記録媒体から前記オプションデータを読み取り、これを前記記憶手段に記憶する一方、前記優劣判定の結果に応じて、前記記憶手段に記憶されたオプションデータを基に前記パラメータ値の更新に追加効果を与えるパラメータ更新手段をさらに備える。
【発明の効果】
【００１６】
本発明によれば、パラメータ値の変動幅が他の選択対象と異なるように設定された特定の選択対象を当該他の選択対象と視覚的に区別できるように表示したため、プレイヤ同士でどの選択対象を選択するかの駆け引きを通じてゲームをより面白くすることができる。
【発明を実施するための最良の形態】
【００１７】
以下、各図を参照して本実施形態について説明する。
【００１８】
図１は本実施形態に係わるゲーム画面８０の一例である。実施形態では、プレイヤＡとプレイヤＢが対戦する場合を想定して以下の説明を進める。
【００１９】
本ゲームにおいては、プレイヤはコンピュータプログラムに予め登録されている複数のキャラクタの中から任意のキャラクタを選択し、当該キャラクタを通じてジャンケン対戦を行う。同図において、５１はプレイヤＡが選択したキャラクタ、５２はプレイヤＢが選択したキャラクタ、６１〜６３はプレイヤＡの選択するジャンケン種別を表示するアイコン、６４〜６６はプレイヤＢの選択するジャンケン種別を表示するアイコン、７１はプレイヤＡがジャンケンで負けたときに受けるダメージを表示するメータ、７２はプレイヤＢがジャンケンで負けたときに受けるダメージを表示するメータである。
【００２０】
それぞれのキャラクタにはその個性に応じて、対戦相手に勝利したときにより多くのダメージを与えることのできるジャンケン種別が予め設定されている。本明細書では説明の便宜上、このようなジャンケン種別を“特定ジャンケン種別”と称する。例えば、キャラクタ５１の特定ジャンケン種別は“パー”に設定されており、キャラクタ５２の特定ジャンケン種別は“グー”に設定されている。これに伴い、アイコン６１〜６６は単にジャンケンの種別を表示するだけでなく、キャラクタ５１，５２の個性を反映させてその表示態様を変えている。同図に示す例では、キャラクタ５１の特定ジャンケン種別は“パー”であるため、アイコン６３をアイコン６１，６２よりも大きく表示している。また、キャラクタ５２の特定ジャンケン種別は“グー”であるため、アイコン６４をアイコン６５，６６よりも大きく表示している。
【００２１】
このように、特定ジャンケン種別に応じてアイコンの表示態様を変えることで、プレイヤは互いに対戦相手の特定ジャンケン種別を把握することができ、駆け引きを通じてジャンケンゲームをより楽しむことができる。例えば、プレイヤＢはキャラクタ５１の特定ジャンケン種別が“パー”であることから、プレイヤＡは“パー”を他のジャンケン種別に対してより多く出すであろうと予想して“チョキ”をより多く出そうと考え、プレイヤＡもまた、プレイヤＢがそのような予想をして“チョキ”をより多く出すであろうから、その裏をかいて“グー”を出そうと考える。このように特定ジャンケン種別を互いに認識できるように工夫することで、駆け引きを通じてジャンケンをより楽しむことができる。
【００２２】
本実施形態では、上記の構成に加えて、ジャンケンに攻撃オプションを設定することができる。“攻撃オプション”とは、より大きなダメージを対戦相手に与えるための任意的なパラメータであり、例えば、プレイヤＡが“チョキ”に攻撃オプションを設定した場合に、プレイヤＡがプレイヤＢに“チョキ”で勝利すると、攻撃パラメータが設定されていない条件下で勝利した場合に比べてより大きなダメージをプレイヤＢに与えたり、或いはその他の追加効果を与えたりすることができる。追加効果として、例えば、メータ７１，７２の増減量を多くしたり、或いは、メータ７１，７２とは異なる他のゲームパラメータを一時的又は恒久的に変化させたり、若しくは、体力が回復するなど自分や味方のパラメータに変化を与える、などの効果がある。
【００２３】
図２は本ゲームをコンピュータシステム上で実行するゲーム装置の主要な機能ブロック図である。上記ゲーム装置はＲＡＭ１０、コントローラ２０、ＣＰＵ３０、ディスプレイ４０、及びカードインターフェース５０を備えて構成されている。
【００２４】
ＲＡＭ１０は本ゲームを実行する上で必要なオペレーションシステム１１、コンピュータプログラム１２などを記憶する記憶手段として機能し、所定のメモリアドレスには各種のゲームパラメータを一時保存したり、或いはプレイヤの入力データをバッファリングするためのワーク領域１７が設定される。当該ワーク領域１７には、各種の入力キーが備えられたコントローラ２０を手動操作するプレイヤの入力データとして、攻撃オプション設定情報１３、及びジャンケン種別選択情報１４が書き込まれる他、プレイヤのダメージ量を表す変数パラメータの値（ダメージ値）１５と、キャラクタの特定ジャンケン種別を表すキャラクタ設定情報１６が書き込まれる。ここで、コンピュータプログラム１２はシステム起動時において、図示しないＲＯＭから読み出され、ＲＡＭ１０にロードされるものである。
【００２５】
攻撃オプション設定情報１３とは、プレイヤの選択によって設定された攻撃オプションに関する情報であり、どのプレイヤがどのジャンケン種別にどの攻撃オプションを設定したかを示すものである。ジャンケン種別選択情報１４とは、ジャンケン対戦の際に、プレイヤがどのジャンケン種別を選択したかをコントローラ２０からの操作信号に基づいてＲＡＭ１０にバッファリングされる情報であり、具体的には、“グー”、“チョキ”、“パー”の何れかに対応するデータが書き込まれる。キャラクタ設定情報１６には各キャラクタ毎に特定ジャンケン種別の設定情報がテーブル形式で登録されている。
【００２６】
ＣＰＵ３０の外部インターフェースとして、カードインターフェース５０が設けられており、キャラクタ設定情報１６が記録された磁気カード６１から当該キャラクタ設定情報を読み取り、ワーク領域１７の所定アドレスに書き込むほか、攻撃オプション設定情報１３が記録された磁気カード６２から攻撃オプション設定情報を読み取り、ワーク領域１７の所定アドレスに書き込む読取手段として機能する。これらの磁気カード６１，６２はゲームセンタなどで購入することができる。プレイヤはこれら磁気カード６１，６２を複数種類集めることで、対戦相手に応じて攻撃オプションの設定等を適宜設定することができる。
【００２７】
ここで、キャラクタ設定情報１６、攻撃オプション設定情報１３を記録する媒体としては、磁気カードに限らず、光記録媒体（ＣＤ−ＲＡＭ、ＣＤ−ＲＯＭ、ＤＶＤ−ＲＡＭ、ＤＶＤ−ＲＯＭ、ＤＶＤ−Ｒ、ＰＤディスク、ＭＤディスク、ＭＯディスク等の光学的にデータの読み取りが可能な記録媒体）や、メモリ素子（ＤＲＡＭ等の半導体メモリ素子など）を備えた記録媒体であってもよい。
【００２８】
ＣＰＵ３０はオペレーションシステム１１上で動作するゲーム処理手段であり、より詳細には、ワーク領域１７に書き込まれた攻撃オプション設定情報１３、ジャンケン種別選択情報１４、ダメージ値１５、キャラクタ設定情報１６等を適宜読み取り、コンピュータプログラム１２に記述された各種コマンド等に従ってジャンケンの優劣判定処理を行う優劣判定手段３１、ダメージ値を演算するダメージ演算手段３２、及びゲーム画面を生成する画像生成手段３３として機能する。これらの各手段は必ずしも単一のＣＰＵによって実現されている必要はなく、例えば、画像生成手段３３は画像処理専用のビデオプロセッサによってその機能が実現されるものであってもよい。優劣判定手段３１はジャンケン種別選択情報１４を読み取り、予め定められた相対的な優劣関係に従って、勝敗を決する。この優劣関係は、公知のように、“グー”は“チョキ”よりも相対的に上位の関係にあり、“チョキ”は“パー”よりも相対的に上位の関係にあり、“パー”は“グー”よりも相対的に上位の関係にある。
【００２９】
ダメージ演算手段３２は、攻撃オプション設定情報１３に登録された攻撃オプション設定と、キャラクタ設定情報１６に登録された特定ジャンケン種別とから、ジャンケンで負けた側のプレイヤが受けるダメージ量を演算し、ワーク領域１７内のダメージ値１５の値を更新する。ダメージ値１５の値が所定値を超えると、ゲームオーバーとなる。画像生成手段３３はキャラクタ設定情報１６に登録された情報から特定ジャンケン種別に対応するアイコンを他のアイコンと区別して表示するための画像を生成するとともに、ゲームの勝敗、ダメージ量の変化等を反映させたゲーム画面の画像データを生成する。
【００３０】
この場合、上記の説明では、プレイヤが相互に特定ジャンケン種別を認識できるようにアイコン表示のサイズを変える構成としたが、特定ジャンケン種別が相互認識できる態様で視覚的な表示区別がデザインされていれば、本発明はこれに限られるものではなく、例えば、特定ジャンケン種別を表示するアイコンを他のアイコンと異なる色に着色して表示したり、或いは、特定ジャンケン種別を表示するアイコン（例えば、“パー”の形状を表示するアイコン）をキャラクタ５１，５２に対応させて表示させてもよく、さらには、特定ジャンケン種別を認識できるような記号、文字、絵などを表示するように画像データを生成してもよい。このようにして生成された画像データは画像表示手段としてのディスプレイ４０に転送され、ゲーム画面として画像表示される。
【００３１】
尚、上記の説明はジャンケンを例に説明したが、本発明はこれに限られるものではなく、相対的な優劣関係が予め定められた複数の選択対象の中からプレイヤが選択した選択対象同士の優劣関係に従って優劣判定を行う各種のゲームに適用できる。例えば、格闘ゲームにおいて、「打撃技＞投げ技＞防御（＞打撃技）」という具合に３種類の技の優劣関係が予め定められているゲームや、ロールプレイングゲームなどに使われる４つの魔法の優劣関係が「魔法１＞魔法２＞魔法３＞魔法４（＞魔法１）」のように巡回的に定められているゲームに利用できる。つまり、本発明は、Ｎ個の選択要素Ｓ１，Ｓ２，…，ＳＮの優劣関係が「Ｓ１＞Ｓ２＞…＞ＳＮ（＞Ｓ１）」のように巡回的に定められており、プレイヤがこれらの選択要素を選択することで、選択要素同士の優劣関係でゲームを進めるタイプのあらゆるゲームに対して適用できる（上記Ｎは３以上の自然数とする。）。
【図面の簡単な説明】
【００３２】
【図１】本実施形態のゲーム画面の一例である。
【図２】本実施形態のゲーム装置の機能ブロック図である。
【符号の説明】
【００３３】
１０…ＲＡＭ
１１…ＯＳ
１２…コンピュータプログラム
１３…攻撃オプション設定情報
１４…ジャンケン種別選択情報
１５…ダメージ値
１６…テーブル
１７…ワーク領域
２０…コントローラ
３０…ＣＰＵ
３１…優劣判定手段
３２…ダメージ演算手段
３３…画像生成手段
４０…ディスプレイ
５１，５２…キャラクタ
６１〜６６…アイコン
７１，７２…メータ
８０…ゲーム画面
【図１】
2006095324.tif 000003
【図２】
2006095324.tif 000004